(57)【要約】【課題】「大当り」や「中当り」等の約定フラグが発生した場合に、未熟練者でも比較的容易に所期の図柄が揃えられるようにする。【解決手段】始動条件が成立することにより複数種の図柄を複数の図柄表示部３Ａ，３Ｂ，３Ｃに変動表示する図柄変動表示装置５と、始動条件の成立に基づいて約定フラグを発生させる抽選手段と、前記図柄変動表示装置の図柄変動を停止させるストップ手段とを備え、前記図柄変動表示装置の停止図柄が前記約定フラグに対応するものであった場合に所定の賞価値が付与される遊技機において、前記図柄変動表示装置の複数の図柄表示部のうち少なくとも１つの図柄表示部だけが前記約定フラグに対応する停止図柄でなかった場合に、次に始動条件が成立したとき当該対応してない図柄表示部だけを再変動させるようにした。【選択図】  図１
2004321701.tif 000002
【特許請求の範囲】
【請求項１】
始動条件が成立することにより複数種の図柄を複数の図柄表示部に変動表示する図柄変動表示装置と、始動条件の成立に基づいて約定フラグを発生させる抽選手段と、前記図柄変動表示装置の図柄変動を停止させるストップ手段とを備え、前記図柄変動表示装置の停止図柄が前記約定フラグに対応するものであった場合に所定の賞価値が付与される遊技機において、前記図柄変動表示装置の複数の図柄表示部のうち少なくとも１つの図柄表示部だけが前記約定フラグに対応する停止図柄でなかった場合に、次に始動条件が成立したとき前記約定フラグに対応する停止図柄でない図柄表示部だけを再変動させるようにしたことを特徴とする遊技機。
【請求項２】
始動条件が成立することにより複数種の図柄を複数の図柄表示部に変動表示する図柄変動表示装置と、始動条件の成立に基づいて約定フラグを発生させる抽選手段と、前記図柄変動表示装置の図柄変動を停止させるストップ手段とを備え、前記図柄変動表示装置の停止図柄が前記約定フラグに対応するものであった場合に所定の賞価値が付与される遊技機において、約定フラグの成立を遊技者に報知する報知手段と、図柄変動表示装置の各図柄表示部の停止図柄が前記約定フラグに対応するものであるかどうかを判定する対応判定手段と、前記図柄変動表示装置の複数の図柄表示部のうち少なくとも１つの図柄表示部だけが前記約定フラグに対応する停止図柄でなかった場合に次に始動条件が成立したとき前記約定フラグに対応する停止図柄でない図柄表示部だけを再変動させる特定図柄表示部再変動手段とを具備してなることを特徴とする遊技機。
【発明の詳細な説明】
【０００１】
【発明の属する技術分野】
本発明は、始動条件が成立することにより複数種の図柄が複数の図柄表示部に変動表示され、所定の停止図柄で変動停止すると賞価値が付与され、メダル，コイン、あるいはパチンコ球等の遊技媒体が払い出されるスロットマシン等の遊技機に関するものである。
【０００２】
【従来の技術】
【特許文献１】
特開２００２−３５５３６４号公報
【特許文献２】
特開２００３−１０３９７号公報
【０００３】
一般にスロットマシンは、遊技者がメダルを投入してスタートレバーを操作することでドラム，液晶ディスプレイ等からなる図柄変動表示装置の複数（通常３列）の図柄表示部に複数種の図柄が変動表示され、遊技者が各図柄表示部に対応するストップボタンを操作することによりその図柄変動が停止し、予め定められた有効ライン上に所定の図柄が並び、「ビッグボーナス＝大当り」，「レギュラーボーナス＝中当り」または「ベル，リプレイ等＝小当り」等のアタリ状態となると、賞として所定枚数のメダルが払い出されたり、遊技者にとって有利な遊技状態に移行するように構成されたものである。
【０００４】
上記アタリ状態は、周知のように、スタートレバーを操作すると機内にて抽選手段が作動して乱数の値が取得、判別され、所定の確率で約定フラグを発生させることにより成立し、そのフラグに従って図柄変動表示装置を所定図柄にて変動停止し得るように構成されている。そして、その抽選結果は、上記特許文献１，２にも示されたように、光や音、画像等によって遊技者に報知されるようにしている。従って遊技者はそのような報知があると、その図柄を狙ってストップボタンをタイミングよく操作しその図柄を揃える必要があるが、未熟練者にとっては全部の図柄表示部に図柄を揃えることは容易ではなかった。
【０００５】
なお、上記「大当り」や「中当り」等のボーナスフラグは、図柄を揃えられなかった場合に次回以降のゲームでも有効となるように記憶されるので、１度や２度失敗しても、メダルを再投入してスタートレバーを操作すれば、揃えられるチャンスは続くが、未熟練者では揃えられるまで何回も要するので、遊技者の中にはメダルを多数消費したり、店員や周りの熟練遊技者に揃えてもらわねばならなくなることもあった。
【０００６】
【発明が解決しようとする課題】
そこで本発明は、「大当り」や「中当り」等のボーナスフラグが発生した場合に、未熟練者でも比較的容易に所期の図柄が揃えられるようにした遊技機を提供し、上記問題点を解消しようとするものである。
【０００７】
【課題を解決するための手段】
そのために本発明は、始動条件が成立することにより複数種の図柄を複数の図柄表示部に変動表示する図柄変動表示装置と、始動条件の成立に基づいて約定フラグを発生させる抽選手段と、前記図柄変動表示装置の図柄変動を停止させるストップ手段とを備え、前記図柄変動表示装置の停止図柄が前記約定フラグに対応するものであった場合に所定の賞価値が付与される遊技機において、前記図柄変動表示装置の複数の図柄表示部のうち少なくとも１つの図柄表示部だけが前記約定フラグに対応する停止図柄でなかった場合に、次に始動条件が成立したとき前記約定フラグに対応する停止図柄でない図柄表示部だけを再変動させるようにしたことを特徴とする。
また本発明は、始動条件が成立することにより複数種の図柄を複数の図柄表示部に変動表示する図柄変動表示装置と、始動条件の成立に基づいて約定フラグを発生させる抽選手段と、前記図柄変動表示装置の図柄変動を停止させるストップ手段とを備え、前記図柄変動表示装置の停止図柄が前記約定フラグに対応するものであった場合に所定の賞価値が付与される遊技機において、約定フラグの成立を遊技者に報知する報知手段と、図柄変動表示装置の各図柄表示部の停止図柄が前記約定フラグに対応するものであるかどうかを判定する対応判定手段と、前記図柄変動表示装置の複数の図柄表示部のうち少なくとも１つの図柄表示部だけが前記約定フラグに対応する停止図柄でなかった場合に次に始動条件が成立したとき前記約定フラグに対応する停止図柄でない図柄表示部だけを再変動させる特定図柄表示部再変動手段とを具備してなることを特徴とする
【０００８】
【発明の実施の形態】
次に本発明の実施形態を図面に従い説明する。図１に示したスロットマシン１は、フロントパネル２の中央に３つの図柄表示部３Ａ，３Ｂ，３Ｃが並設され、表面に例えば「７」「ベル」「チェリー」「すいか」等の複数種の図柄が表示されたリール４Ａ，４Ｂ，４Ｃを該各図柄表示部に臨ませ、該各リールをステッピングモータ等により回転することで、該各図柄表示部に図柄を変動表示可能とした図柄変動表示装置５を設けている。なお、各図柄表示部３Ａ，３Ｂ，３Ｃには、上段ライン６ａ，中段ライン６ｂ，下段ライン６ｃ、および、２本の斜めライン６ｄ，６ｅからなる５つの有効ラインが表示される。
【０００９】
また、７は遊技者が操作することによりリール４Ａ，４Ｂ，４Ｃを回転させ各図柄表示部３Ａ，３Ｂ，３Ｃに表示される図柄を一斉に変動させるスタートレバー、８Ａ，８Ｂ，８Ｃは遊技者が操作することにより夫々対応するリール４Ａ，４Ｂ，４Ｃの回転を停止させ各図柄表示部３Ａ，３Ｂ，３Ｃの表示図柄を停止させるストップボタン、９はメダル投入口、１０は該メダル投入口に予めクレジットメダルとして貯留されたメダルを遊技に供するメダルとして使用するためのクレジットメダル投入ボタン、１１は精算ボタンである。
【００１０】
また、スロットマシン１の下部には賞としてのメダルを排出するメダル排出口１２と、該メダルを貯留するメダル貯留皿１３が設けられている。また、１４Ａ，１４Ｂ，１４Ｃは各図柄表示部３Ａ，３Ｂ，３Ｃの上部に設けられた液晶等の表示器からなる報知手段である。
【００１１】
図２はこのスロットマシンのブロック図で、ＣＰＵ，ＲＯＭ，ＲＡＭ，Ｉ／Ｏからなる主基板１５の入力段に、前記スタートレバー７と、前記ストップボタン８Ａ，８Ｂ，８Ｃと、投入メダルカウントスイッチ１６と、クレジットメダル投入ボタン１０と、精算ボタン１１が接続され、また、前記図柄変動表示装置５のリール４Ａ，４Ｂ，４Ｃを回転制御するリール制御基板１７と、前記報知手段１４Ａ，１４Ｂ，１４Ｃを作動させる表示制御基板１８と、スピーカ１９をドライブする音声制御基板２０と、装飾ランプ２１を点滅させるランプ制御基板２２と、メダル払出装置２３を作動させる払出制御基板２４が夫々主基板１５の出力段に接続されている。
【００１２】
そして、上記ＣＰＵ，ＲＯＭ，ＲＡＭを作動させることにより、遊技制御手段が起動する。該遊技制御手段は、メダル投入口９に所定数のメダルが投入されスタートレバー７が操作されたことを検知する始動条件成立検知手段と、始動条件の成立に基づいて取得された乱数を判定することにより「大当り」「中当り」等の約定フラグを発生させる抽選手段と、その約定フラグを記憶する約定フラグ記憶手段と、その約定フラグの成立を音声，ランプ点滅等により遊技者に報知する報知手段と、図柄変動表示装置５の各図柄表示部の停止図柄が前記約定フラグに対応するものであるかどうかを判定する対応判定手段と、特定の図柄表示部のみを再変動させる特定図柄表示部再変動手段とからなる。
【００１３】
次に上記遊技制御手段によって実行されるこのスロットマシンの作動を図３のフローチャートに従い説明する。なおこのフローチャートは理解を容易ならしめるため本発明に係わる要部のみを抜粋して示すものである。即ち、メダル投入口９に所定数のメダルを投入しスタートレバー７を操作することにより始動条件が成立すると、ステップａからステップｂに移行し、図柄変動表示装置５のリール４Ａ，４Ｂ，４Ｃがいっせいに回転を始め図柄表示部３Ａ，３Ｂ，３Ｃに図柄が変動表示される。また同時にステップｃにて乱数が取得され抽選手段が作動し取得された乱数を判別することにより、所定の確率で「大当り」または「中当り」等の約定フラグを発生させ、その約定フラグが記憶される。そしてステップｄにてその約定フラグが遊技者に報知される。
【００１４】
そしてステップｅ〜ｇにて遊技者がタイミングを見計ってストップボタン８Ａ，８Ｂ，８Ｃを押すことが待たれ、押されたストップボタンに対応する図柄表示部３Ａ，３Ｂ，３Ｃの図柄が変動停止し、全部のストップボタンが押されるとステップｈからステップｉに移行し各図柄表示部の停止図柄が前記約定フラグに対応するものであるかどうかを判定する対応判定がなされる。これは上記対応判定手段の作動による。そして、全部の図柄表示部の停止図柄が約定フラグに対応するものであった場合はステップｊに移行し、払出制御基板２４を作動させメダル払出装置２３が「大当り」「中当り」等の約定フラグの内容に応じた所定数のメダルを排出口１２に払い出す。また、そうでなかった場合は約定フラグを記憶したままステップｉからステップｋに移行し、図４の特定図柄表示部再変動ルーチンに行き来する。
【００１５】
即ち、図４に示した特定図柄表示部再変動ルーチンは、特定図柄表示部再変動手段の作動によるもので、ステップｍにて遊技者がメダルを再投入しスタートレバー７を操作することにより始動条件が成立すると、ステップｎ〜ｐにて各図柄表示部３Ａ，３Ｂ，３Ｃごとに約定フラグと対応するものであるかどうかが判定され、対応するものである場合はその図柄表示部については再変動をさせない設定がなされてからステップｑに移行する。このためステップｑでは約定フラグと対応しなかった図柄表示部のリールだけが回転し図柄を再変動させ、すでに約定フラグと対応している図柄表示部については図柄を再変動させない。そこで、遊技者は再変動した図柄表示部に対応するストップボタンだけをタイミングを見計らって押すことで、この図柄表示部を約定フラグと対応する停止図柄に揃えられるチャンスができる。そして、図３のステップｅ以降に戻り、再度全部の図柄表示部の停止図柄が約定フラグに対応するものであるかどうかの再判定がなされる。
【００１６】
次に図５を参照し図柄表示部３Ａ，３Ｂ，３Ｃの表示例を説明する。いま図５の（イ）では約定フラグとして遊技者に予め報知された図柄「７」が図柄表示部３Ａ，３Ｂの中段ライン６ｂ上に並んで停止した状況にあることから、この場合は図柄表示部３Ｃだけが上記フローチャートに従い再変動することから遊技者はこの図柄表示部３Ｃの中段ライン６ｂ上に図柄「７」を停止させるだけで約定フラグに対応させることができる。また、図５の（ロ）では約定フラグとして遊技者に予め報知された図柄「７」が図柄表示部３Ａの上段ライン６ａ上に停止していることから、図柄表示部３Ｂおよび３Ｃが再変動し、遊技者はこの図柄表示部３Ｂおよび３Ｃの上段ライン６ａ上、もしくは図柄表示部３Ｂおよび３Ｃの斜めライン６ｅ上に図柄「７」を停止させることで約定フラグに対応させることができる。
【００１７】
また、図５の（ハ）の例では図柄「７」が図柄表示部３Ａ，３Ｂの斜めライン６ｅ上に停止していることから、この場合は図柄表示部３Ｃのみが再変動する。また、図５の（ニ）では図柄「７」が図柄表示部３Ａ，３Ｂに停止しているが、これらは１本の有効ライン上にないのでこの場合は図柄表示部３Ｂおよび３Ｃが再変動する。
【００１８】
このように、約定フラグと対応してない図柄表示部だけが再変動し、当該図柄表示部だけを再び変動停止させて約定フラグと対応するものに停止し得るようにしたことで、未熟練者でも比較的容易に全部の図柄表示部を約定フラグに対応するものにすることができる。
【００１９】
なお、この実施形態では「大当り」および「中当り」の発生が約定フラグを成立させるものとしたが、本発明では必ずしも「大当り」および「中当り」を約定フラグを成立させるものとする必要はなく、その一方またはその他のアタリを約定フラグを成立させるものとしてもよい。
【００２０】
また、本発明では約定フラグが成立した場合に必ずしも常に毎回にわたって上記のように対応してない図柄表示部だけを再変動させる必要はなく、一定の確率、または特定の時期または条件が満たされた場合で、次に始動条件が成立したときに当該対応してない図柄表示部だけが再変動させるようにしてもよいことは言うまでもない。
【００２１】
【発明の効果】
以上実施形態について説明したように本発明は、始動条件が成立することにより複数種の図柄を複数の図柄表示部に変動表示する図柄変動表示装置と、始動条件の成立に基づいて約定フラグを発生させる抽選手段と、前記図柄変動表示装置の図柄変動を停止させるストップ手段とを備え、前記図柄変動表示装置の停止図柄が前記約定フラグに対応するものであった場合に所定の賞価値が付与される遊技機において、前記図柄変動表示装置の複数の図柄表示部のうち少なくとも１つの図柄表示部だけが前記約定フラグに対応する停止図柄でなかった場合に、次に始動条件が成立したとき当該対応してない図柄表示部だけを再変動させるようにしたので、未熟練者でも比較的容易に所期の図柄が揃えられるようにする効果がある。
【図面の簡単な説明】
【図１】本発明に係る遊技機の実施形態を示す正面図。
【図２】本発明に係る遊技機の実施形態を示すブロック図。
【図３】本発明に係る遊技機の実施形態を示すフローチャート。
【図４】本発明に係る遊技機の実施形態を示すフローチャート。
【図５】本発明に係る遊技機の実施形態を示す図柄変動表示装置の表示例図。
【符号の説明】
１                        スロットマシン
３Ａ，３Ｂ，３Ｃ          図柄表示部
５                        図柄変動表示装置
６ａ〜６ｅ                有効ライン
７                        スタートレバー
８Ａ，８Ｂ，８Ｃ          ストップボタン
１２                      メダル排出口
１４Ａ，１４Ｂ，１４Ｃ    報知手段
１５                      主基板
【図１】
2004321701.tif 000003
【図２】
2004321701.tif 000004
【図３】
2004321701.tif 000005
【図４】
2004321701.tif 000006
【図５】
2004321701.tif 000007